(57)【要約】【課題】移動局の無線チャネル状況によって移動局と基地局との間の制御情報送受信に適用される無線リンクパラメータを動的に制御するためのＨＳＤＰＡシステムにおける好適な無線リンクパラメータ更新方法を提供すること。【解決手段】本発明に係る無線リンクパラメータ更新方法は、基地局（Ｎｏｄｅ  Ｂ）でＨＳＤＰＡ関連パラメータの更新を決定した後、パラメータ更新情報をＲＮＣに伝達して無線リンクパラメータの更新をトリガする段階と、実際にＲＮＣでＨＳＤＰＡ関連パラメータを更新して移動局に伝達する段階と、を含む。望ましく、前記基地局がＲＮＣに伝達するパラメータ更新情報は、ＲＬパラメータ更新要求メッセージを通して伝送され、前記ＲＮＣは、ＳＲＮＣ（ｓｅｒｖｉｎｇ  ＲＮＣ）であることを特徴とする。【選択図】なし【特許請求の範囲】
【請求項１】
無線通信システムの無線リンクパラメータを更新する方法であって、前記無線通信システムは、ネットワークコントローラと、前記ネットワークコントローラに接続された基地局とを有し、
前記方法は、
前記ネットワークコントローラから構成情報を受信することと、
前記受信された構成情報を用いて、前記無線リンクパラメータの更新を開始するか否かを決定することと、
前記無線リンクパラメータの更新を開始すると決定された場合に、前記基地局から前記ネットワークコントローラに、前記無線リンクパラメータを更新するためのパラメータ情報を送信することと
を含み、
前記無線リンクパラメータは、高速ダウンリンクパケット接続（ＨＳＤＰＡ）関連パラメータであり、
前記パラメータ情報は、ＣＱＩ（ｃｈａｎｎｅｌ  ｑｕａｌｉｔｙ  ｉｎｄｉｃａｔｏｒ）フィードバックサイクル情報、ＡＣＫ／ＮＡＣＫ反復ファクタ情報、ＣＱＩ反復ファクタ情報、ＣＱＩパワーオフセット情報、ＡＣＫパワーオフセット情報、ＮＡＣＫパワーオフセット情報、ＨＳ−ＳＣＣＨコード変更指示子情報のうちの少なくとも１つを含む、方法。
【請求項２】
前記パラメータ情報は、パラメータ値である、請求項１に記載の方法。
【請求項３】
ユーザ端末の無線チャネル状態が変更される場合に、前記無線リンクパラメータの更新を開始すると決定される、請求項１に記載の方法。
【請求項４】
所定の周期毎に、または、前記無線リンクパラメータが所定のしきい値を超える場合に、前記無線リンクパラメータの更新を開始すると決定される、請求項１に記載の方法。
【請求項５】
前記周期および前記しきい値は、前記基地局において設定される、請求項４に記載の方法。
【請求項６】
前記周期および前記しきい値は、前記ネットワークコントローラから提供される、請求項４に記載の方法。
【請求項７】
前記基地局は、ユーザ端末の無線リンク構成情報に従って前記パラメータ情報を制御する、請求項１に記載の方法。
【請求項８】
前記無線リンク構成情報は、前記ネットワークコントローラから送信される、請求項７に記載の方法。
【請求項９】
前記基地局は、前記無線リンク構成情報を分析し、前記ユーザ端末がハンドオーバーを開始し終了する場合にのみ、前記基地局は、前記無線リンクパラメータの更新を開始する、請求項７に記載の方法。
【請求項１０】
前記基地局は、前記ユーザ端末の無線リンクの数が変更される場合にのみ、前記無線リンクパラメータを更新することを必要とする、請求項７に記載の方法。
【請求項１１】
前記基地局は、ＨＡＲＱ（ｈｙｂｒｉｄ  ａｕｔｏｍａｔｉｃ  ｒｅｐｅａｔ  ｒｅｑｕｅｓｔ）機能を有する、請求項１に記載の方法。
【請求項１２】
時間情報と前記ネットワークコントローラにおいて更新された前記パラメータ情報とをユーザ端末に送信することをさらに含む、請求項１に記載の方法。
【請求項１３】
前記時間情報は、活性化時間（ａｃｔｉｖａｔｉｏｎ  ｔｉｍｅ）である、請求項１２に記載の方法。
【請求項１４】
前記活性化時間は、ＣＦＮ（ｃｏｎｎｅｃｔｉｏｎ  ｆｒａｍｅ  ｎｕｍｂｅｒ）値を含む、請求項１３に記載の方法。
【請求項１５】
前記ネットワークコントローラは、制御ＲＮＣ（ｃｏｎｔｒｏｌｌｉｎｇ  ＲＮＣ）である、請求項１に記載の方法。
【請求項１６】
前記送信することは、前記基地局によって開始される、請求項１に記載の方法。
【請求項１７】
前記送信することは、前記基地局と前記ネットワークコントローラとの間の信号によって開始される、請求項１に記載の方法。
【請求項１８】
少なくとも１つのネットワークコントローラと、前記ネットワークコントローラに接続された少なくとも１つの基地局と、前記基地局と通信する少なくとも１つのユーザ端末とを有する無線通信システムの無線リンクパラメータ情報を処理する方法であって、前記ユーザ端末が前記方法を実行し、
前記方法は、
前記ネットワークコントローラから高速ダウンリンクパケット接続関連無線リンクパラメータ情報を受信することと、
前記ネットワークコントローラからの前記基地局によって受信された構成情報に応答して前記基地局から前記ネットワークコントローラに以前に送信された前記受信された高速ダウンリンクパケット接続関連無線リンクパラメータ情報を用いて、パラメータ構成を実行することと
を含む、方法。
【請求項１９】
前記無線リンクパラメータ情報は、無線リンクパラメータ値である、請求項１８に記載の方法。
【請求項２０】
前記高速ダウンリンクパケット接続関連無線リンクパラメータ情報は、無線リソース制御信号処理を介して受信される、請求項１８に記載の方法。
【請求項２１】
前記無線リソース制御信号処理ステップは、無線ベアラ構成メッセージを用いて共有伝送チャネルを確立することを包含し、前記高速ダウンリンクパケット接続関連無線リンクパラメータ情報は、共有制御チャネルを介して受信される、請求項２０に記載の方法。
【請求項２２】
前記受信するステップは、無線リンクパラメータ更新手順が前記基地局によって開始された後に実行される、請求項１８に記載の方法。
【請求項２３】
前記開始された無線リンクパラメータ更新手順に従って前記基地局の少なくとも１つの高速ダウンリンクパケット接続関連無線リンクパラメータを構成するように前記基地局から前記ネットワークコントローラに前記メッセージを送信することをさらに含む、請求項２２に記載の方法。
【請求項２４】
前記高速ダウンリンクパケット接続関連無線リンクパラメータ情報は、ＣＱＩ（ｃｈａｎｎｅｌ  ｑｕａｌｉｔｙ  ｉｎｄｉｃａｔｏｒ）フィードバックサイクル情報、ＡＣＫ／ＮＡＣＫ反復ファクタ情報、ＣＱＩ反復ファクタ情報、ＣＱＩパワーオフセット情報、ＡＣＫパワーオフセット情報、ＮＡＣＫパワーオフセット情報、ＨＳ−ＳＣＣＨコード変更指示子情報のうちの少なくとも１つを含む、請求項１８に記載の方法。
【請求項２５】
無線通信システムの無線リンクパラメータを更新する方法であって、前記無線通信システムは、ネットワークコントローラと前記ネットワークコントローラに接続された基地局とを有し、前記ネットワークコントローラが前記方法を実行し、
前記方法は、
前記基地局に構成情報を送信することであって、前記構成情報は、前記無線リンクパラメータの更新を開始するか否かを決定するために前記基地局によって使用される、ことと、
前記無線リンクパラメータの更新を開始すると決定された場合に、前記基地局から前記無線リンクパラメータを更新するためのパラメータ情報を受信することと
を含み、
前記無線リンクパラメータは、高速ダウンリンクパケット接続（ＨＳＤＰＡ）関連パラメータであり、
前記パラメータ情報は、ＣＱＩ（ｃｈａｎｎｅｌ  ｑｕａｌｉｔｙ  ｉｎｄｉｃａｔｏｒ）フィードバックサイクル情報、ＡＣＫ／ＮＡＣＫ反復ファクタ情報、ＣＱＩ反復ファクタ情報、ＣＱＩパワーオフセット情報、ＡＣＫパワーオフセット情報、ＮＡＣＫパワーオフセット情報、ＨＳ−ＳＣＣＨコード変更指示子情報のうちの少なくとも１つを含む、方法。
【請求項２６】
前記パラメータ情報は、パラメータ値である、請求項２５に記載の方法。
【請求項２７】
ユーザ端末の無線チャネル状態が変更される場合に、前記無線リンクパラメータの更新を開始すると決定される、請求項２５に記載の方法。
【請求項２８】
所定の周期毎に、または、前記無線リンクパラメータが所定のしきい値を超える場合、前記無線リンクパラメータの更新を開始すると決定される、請求項２５に記載の方法。
【請求項２９】
前記周期および前記しきい値は、前記基地局において設定される、請求項２８に記載の方法。
【請求項３０】
前記周期および前記しきい値は、前記ネットワークコントローラから提供される、請求項２８に記載の方法。
【請求項３１】
前記基地局は、ＨＡＲＱ（ｈｙｂｒｉｄ  ａｕｔｏｍａｔｉｃ  ｒｅｐｅａｔ  ｒｅｑｕｅｓｔ）機能を有する、請求項２５に記載の方法。
【請求項３２】
前記ネットワークコントローラは、制御ＲＮＣ（ｃｏｎｔｒｏｌｌｉｎｇ  ＲＮＣ）である、請求項２５に記載の方法。
【請求項３３】
前記ネットワークコントローラは、前記無線リンクパラメータを更新するか否かを最終的に決定する、請求項２５に記載の方法。
【発明の詳細な説明】
【技術分野】
【０００１】
本発明は、３ＧＰＰ（Ｔｈｉｒｄ  ｇｅｎｅｒａｔｉｏｎ  ｐａｒｔｎｅｒｓｈｉｐ  ｐｒｏｊｅｃｔ）  ＵＭＴＳ（Ｕｎｉｖｅｒｓａｌ  ｍｏｂｉｌｅ  ｔｅｌｅｃｏｍｍｕｎｉｃａｔｉｏｎ  ｓｙｓｔｅｍ）システムに関するもので、特に、高速ダウンリンクパケット接続（Ｈｉｇｈ  ｓｐｅｅｄ  ｄｏｗｎｌｉｎｋ  ｐａｃｋｅｔ  ａｃｃｅｓｓ；以下ＨＳＤＰＡと略称する）サービスをするシステムにおける無線リンクパラメータ更新方法に関するものである。
【背景技術】
【０００２】
３ＧＰＰのＵＭＴＳシステムは、ダウンリンクで高速のパケットデータサービスを支援するために高速ダウンリンク共有チャネル（Ｈｉｇｈ  ｓｐｅｅｄ  ｄｏｗｎｌｉｎｋ  ｓｈａｒｅｄ  ｃｈａｎｎｅｌ：以下ＨＳ−ＤＳＣＨと略称する）という伝送チャネルを提供する。前記ＨＳ−ＤＳＣＨは、３ＧＰＰのＨＳＤＰＡを規定するシステムで使用される。前記ＨＳ−ＤＳＣＨは短いＴＴＩ（Ｔｒａｎｓｍｉｓｓｉｏｎ  ｔｉｍｅ  ｉｎｔｅｒｖａｌ）（３ｓｌｏｔ、２ｍｓ）を使用し、高いデータ率（ｄａｔａ  ｒａｔｅ）を支援するために多様なＭＣＳ（Ｍｏｄｕｌａｔｉｏｎ  ｃｏｄｅ  ｓｅｔ）を支援する。即ち、チャネル状況に最も適合したＭＣＳを選定することで、最適のデータ伝送性能を上げることができ、このために、ＡＲＱ（Ａｕｔｏｍａｔｉｃ  ｒｅｐｅａｔ  ｒｅｑｕｅｓｔ）技術とチャネルコーディング技術とを結合したＨＡＲＱ（Ｈｙｂｒｉｄ  ＡＲＱ）技術を適用する。
【０００３】
前記ＨＳ−ＤＳＣＨは、２ｍｓのサブフレーム（ｓｕｂ−ｆｒａｍｅ）ごとに互いに異なる使用者に高速の使用者データを伝送することができ、高速物理ダウンリンク共有チャネル（Ｈｉｇｈ  Ｓｐｅｅｄ  Ｐｈｙｓｉｃａｌ  Ｄｏｗｎｌｉｎｋ  ｓｈａｒｅｄ  ｃｈａｎｎｅｌ：以下ＨＳ−ＰＤＳＣＨと略称する）にマッピングされる。
【０００４】
前記ＨＳ−ＤＳＣＨを通して使用者データを伝送するためには制御情報の伝送が必要である。前記制御情報は、ダウンリンク（ＤＬ）共有制御チャネル（Ｓｈａｒｅｄ  Ｃｏｎｔｒｏｌ  Ｃｈａｎｎｅｌ：以下ＨＳ−ＳＣＣＨと略称する）及びアップリンク（ＵＬ）専用物理制御チャネル（Ｄｅｄｉｃａｔｅｄ  Ｐｈｙｓｉｃａｌ  Ｃｏｎｔｒｏｌ  Ｃｈａｎｎｅｌ：以下ＨＳ−ＤＰＣＣＨと略称する）を通して伝送される。前記ＨＳ−ＳＣＣＨは、ＨＳＤＰＡ技術を支援するためのダウンリンク（ＤＬ）共通制御チャネルの一種である。即ち、前記ＤＬ    ＨＳ−ＳＣＣＨは、拡散要素（Ｓｐｒｅａｄｉｎｇ  ｆａｃｔｏｒ）が１２８であり、６０ｋｂｐｓの伝送速度を有するダウンリンク物理チャネルである。前記ＨＳ−ＳＣＣＨは、ＵＥが高速の使用者データを伝送するＨＳ−ＤＳＣＨを受信するようにＵＥ  ＩＤ（ｉｄｅｎｔｉｆｉｃａｔｉｏｎ）及び制御情報を伝送するのに使用される。
【０００５】
図１は、ＵＬ  ＨＳ−ＤＰＣＣＨのフレーム構造である。
【０００６】
図１に基づくと、ＵＬ  ＨＳ−ＤＰＣＣＨは、周期（Ｔｆ）が１０ｍｓである無線フレームにより構成され、各無線フレームは、２ｍｓである５個のサブフレームにより構成される。また、一つのサブフレームは、３個のスロットにより構成される。
【０００７】
前記アップリンクＨＳ−ＤＰＣＣＨは、ダウンリンクＨＳ−ＤＳＣＨデータの伝送と関連するアップリンクフィードバックシグナリングを伝送する。前記アップリンクフィードバックシグナリングは、一般に、ＨＡＲＱのためのＡＣＫ（Ａｃｋｎｏｗｌｅｄｇｅｍｅｎｔ）／ＮＡＣＫ（Ｎｅｇａｔｉｖｅ  Ａｃｋｎｏｗｌｅｄｇｅ）情報及びチャネル品質指示子（Ｃｈａｎｎｅｌ  Ｑｕａｌｉｔｙ  Ｉｎｄｉｃａｔｏｒ：以下ＣＱＩと略称する）により構成され、前記ＡＣＫ／ＮＡＣＫ情報は、ＨＳ−ＤＰＣＣＨサブフレームの最初のスロットに伝送され、ＣＱＩは、ＨＳ−ＤＰＣＣＨサブフレームの２番目及び３番目のスロットに伝送される。前記ＨＳ−ＤＰＣＣＨは、常にＵＬ  ＤＰＣＣＨと共に伝送される。前記ＡＣＫ／ＮＡＣＫは、ＨＡＲＱメカニズムによってＤＬ  ＨＳ−ＤＳＣＨに伝送された使用者データパケットに対するＡＣＫまたはＮＡＣＫ情報を知らせ、ＣＱＩは、ＵＥがＤＬ  ＣＰＩＣＨ（Ｃｏｍｍｏｎ  Ｐｉｌｏｔ  Ｃｈａｎｎｅｌ）を測定した結果から得たダウンリンク無線チャネルの状態情報を基地局に伝達する。
【０００８】
図２は、従来のＵＴＲＡＮ（ＵＭＴＳ無線接続網）の構造である。
【０００９】
図２に基づくと、ＵＴＲＡＮは、サービング無線網制御器（Ｓｅｒｖｉｎｇ  ＲＮＣ：以下ＳＲＮＣと略称する）及びドリフト無線網制御器（Ｄｒｉｆｔ  ＲＮＣ；以下ＤＲＮＣと略称する）がそれぞれ基地局（Ｎｏｄｅ  Ｂ）を制御する構造であり、ソフトハンドオーバーの時、移動局（ＵＥ）は、ＳＲＮＣ及びＤＲＮＣに連結された一つ以上の基地局と一つ以上の無線リンクを維持することができる。この場合、基地局（Ｎｏｄｅ  Ｂ）とＳＲＮＣ及びＤＲＮＣはＩｕｂインターフェースで連結され、ＳＲＮＣ及びＤＲＮＣはＩｕｒインターフェースを通して連結される。そして、ＳＲＮＣと核心網（Ｃｏｒｅ  ｎｅｔｗｏｒｋ：ＣＮ）とのインターフェースをＩｕと称する。
【００１０】
一般に、無線網制御器（Ｒａｄｉｏ  ｎｅｔｗｏｒｋ  ｃｏｎｔｒｏｌｌｅｒ：以下ＲＮＣと略称する）はＮｏｄｅ  Ｂを直接管理し、共通無線資源を管理する制御無線網制御器（Ｃｏｎｔｒｏｌｌｉｎｇ  ＲＮＣ：以下ＣＲＮＣと略称する）（図示せず）と、各ＵＥ１２２に割り当てられた専用無線資源を管理するＳＲＮＣとに分類される。また、ＤＲＮＣはＤＲＮＳ（Ｄｒｉｆｔ  ｒａｄｉｏ  ｎｅｔｗｏｒｋ  ｓｕｂｓｙｓｔｅｍ）内に存在し、ＵＥがＳＲＮＣの管理する領域から脱して自身の領域に移動する場合、ＵＥに無線資源を提供する制御局である。
【００１１】
また、ＵＴＲＡＮでの無線接続インターフェースプロトコルは、制御平面（Ｃｏｎｔｒｏｌ  Ｐｌａｎｅ）と使用者平面（Ｕｓｅｒ  Ｐｌａｎｅ）とに区分される。使用者平面は、音声やＩＰパケットの伝送などの使用者のトラフィック情報が伝達される領域で、制御平面は、制御情報が伝達される領域である。
【００１２】
図３は、ＵＴＲＡＮの制御平面プロトコルである。
【００１３】
図３を参照すると、制御平面プロトコルは、ＵＥとＲＮＣとの間に使用されるＲＲＣ（Ｒａｄｉｏ  ｒｅｓｏｕｒｃｅ  ｃｏｎｔｒｏｌ）プロトコルと、基地局（Ｎｏｄｅ  Ｂ）とＲＮＣとの間に使用されるＮＢＡＰ（Ｎｏｄｅ  Ｂ  ａｐｐｌｉｃａｔｉｏｎ  ｐａｒｔ）プロトコルと、各ＲＮＣの間に使用されるＲＮＳＡＰ（Ｒａｄｉｏ  ｎｅｔｗｏｒｋ  ｓｕｂｓｙｓｔｅｍ  ａｐｐｌｉｃａｔｉｏｎ  Ｐａｒｔ）プロトコルと、ＲＮＣと核心網（ＣＮ）との間に使用されるＲＡＮＡＰ（Ｒａｄｉｏ  ａｃｃｅｓｓ  ｎｅｔｗｏｒｋ  ａｐｐｌｉｃａｔｉｏｎ  ｐａｒｔ）プロトコルとから構成される。このようなＮＢＡＰ、ＲＮＳＡＰ及びＲＡＮＡＰプロトコルには、基地局とＲＮＣとの間、各ＲＮＣの間及び核心網とＲＮＣとの間の多様な制御メッセージが含まれる。このとき、制御メッセージは、使用者平面に送る場合、フレームプロトコル（Ｆｒａｍｅ  Ｐｒｏｔｏｃｏｌ）の制御フレーム（Ｃｏｎｔｒｏｌ  Ｆｒａｍｅ）形態に伝達され、制御平面に送る場合、ＮＢＡＰまたはＲＮＳＡＰのメッセージ形態に伝達される。
【００１４】
図４は、ＵＥのためのＤＣＨ（ｄｅｄｉｃａｔｅｄ  ｃｈａｎｎｅｌ）チャネルが設定されたとき、ＨＳ−ＤＳＣＨチャネルを設定するプロシージャ（Ｐｒｏｃｅｄｕｒｅ）の例を示した図である。
【００１５】
まず、ＨＳ−ＤＳＣＨのために無線リンク（ＲＬ）が再設定される。このために、ＳＲＮＣはＤＲＮＣにＲＬ再構成準備（Ｒｅｃｏｎｆｉｇｕｒａｔｉｏｎ  Ｐｒｅｐａｒｅ）メッセージを伝送して無線リンク再構成プロシージャを開始する（Ｓ１０２）。
【００１６】
ＤＲＮＣは、各Ｎｏｄｅ  ＢにＲＬ再構成準備メッセージを伝送して、同期化されたＲＬ  再構成プロシージャを準備することを要求し（Ｓ１０４）、該当のＮｏｄｅ  Ｂは、ＨＳ−ＤＳＣＨのための無線資源を構成した後、ＲＬ再構成準備メッセージに対する応答としてＲＬ再構成準備完了（Ｒｅｃｏｎｆｉｇｕｒａｔｉｏｎ  Ｒｅａｄｙ）メッセージをＤＲＮＣに伝送する（Ｓ１０６）。
【００１７】
ＤＲＮＣは、ＲＬ再構成の準備段階を終了した後、ＲＬ再構成準備完了メッセージをＳＲＮＣに伝送する（Ｓ１０８）。ＳＲＮＣは、ＲＬ再構成委任（Ｒｅｃｏｎｆｉｇｕｒａｔｉｏｎ  Ｃｏｍｍｉｔ）メッセージをＤＲＮＣに伝達し（Ｓ１１０）、ＤＲＮＣは、前記ＲＬ再構成委任メッセージをＮｏｄｅ  Ｂに伝達する（Ｓ１１２）。
【００１８】
このような各段階を通して、ＨＳ−ＤＳＣＨのための無線リンク及び伝送ベアラの設定を終了する。即ち、Ｎｏｄｅ  ＢとＤＲＮＣとの間にｌｕｂ伝送ベアラが設定され、ＤＲＮＣとＳＲＮＣとの間にはｌｕｒ伝送ベアラが設定される。
【００１９】
無線リンク設定を終了すると、ＳＲＮＣは、無線ベアラ再構成（Ｒａｄｉｏ  Ｂｅａｒｅｒ    Ｒｅｃｏｎｆｉｇｕｒａｔｉｏｎ）メッセージをＵＥに伝送してＨＳ−ＤＳＣＨチャネルを設定し（Ｓ１１４）、ＵＥは無線ベアラ再構成完了（Ｒａｄｉｏ  Ｂｅａｒｅｒ  Ｒｅｃｏｎｆｉｇｕｒａｔｉｏｎ  Ｃｏｍｐｌｅｔｅ）メッセージで応答する（Ｓ１１６）。前記各メッセージは、ＲＲＣメッセージ形態に伝送される。このような段階が行われると、ＨＳ−ＤＳＣＨ伝送チャネルが設定され、Ｎｏｄｅ  ＢにはＨＳ−ＤＳＣＨ送信を管理するＭＡＣ−ｈｓ副階層が構成される。
【００２０】
その後、ＨＳ−ＤＳＣＨに伝送されるダウンリンクデータが発生すると、ＳＲＮＣはフレームプロトコルのＨＳ−ＤＳＣＨ容量要求（Ｃａｐａｃｉｔｙ  Ｒｅｑｕｅｓｔ）制御フレームをＤＲＮＣに伝達し（Ｓ１１８）、ＤＲＮＣは該当のメッセージをＮｏｄｅ  Ｂに伝送する（Ｓ１２０）。Ｎｏｄｅ  ＢはＨＳ−ＤＳＣＨに伝送されるデータの量を決定し、決定された情報をフレームプロトコルのＨＳ−ＤＳＣＨ容量割当（Ｃａｐａｃｉｔｙ
ａｌｌｏｃａｔｉｏｎ）制御フレームを通してＤＲＮＣに報告し（Ｓ１２２）、ＤＲＮＣはＨＳ−ＤＳＣＨ容量割当制御フレームをＳＲＮＣに伝達する（Ｓ１２４）。
【００２１】
その後、前記ＳＲＮＣはダウンリンクデータをＮｏｄｅ  Ｂに伝達し（Ｓ１２６）、Ｎｏｄｅ  ＢはＨＳ−ＤＳＣＨを通してダウンリンクデータ伝送を開始する。即ち、Ｎｏｄｅ  Ｂは、ＨＳ−ＳＣＣＨを通してＵＥにＨＳ−ＰＤＳＣＨに関連したシグナリング情報を伝送する一方（Ｓ１２８）、ＨＳ−ＰＤＳＣＨを通してＨＳ−ＤＳＣＨデータをＵＥに伝送する（Ｓ１３０）。
【００２２】
該当のＵＥのためのＤＣＨが予め設定されていない場合、図４の無線リンク再構成プロシージャは無線リンク設定（Ｒａｄｉｏ  Ｌｉｎｋ  Ｓｅｔｕｐ）プロシージャに代替される。しかし、図４の他の全てのプロシージャは、該当のＵＥのためのＤＣＨが設定されている場合と同様に行われる。
【００２３】
以下、ＵＥがＨＳ−ＤＳＣＨを通してデータを受信した後、ＨＳ−ＤＰＣＣＨを通してデータ応答信号（ＡＣＫまたはＮＡＣＫ）を伝送する具体的な物理階層プロシージャを説明する。
【００２４】
ＵＥは、ＨＳ−ＳＣＣＨを通して伝送されるＵＥ  ＩＤをモニタリングして自身が受信するデータがあるかどうかを把握する。受信するデータがある場合、ＵＥはＨＳ−ＳＣＣＨを通して伝送される制御情報を受信し、その制御情報を利用して前記ＨＳ−ＰＤＳＣＨを通して伝送されるＨＳ−ＤＳＣＨデータを受信する。
【００２５】
ＵＥは、受信されたＨＳ−ＰＤＳＣＨデータをデコーディングした後、ＣＲＣチェックを行い、ＣＲＣチェック結果に基づいてＡＣＫまたはＮＡＣＫを基地局に伝送する。このとき、ＵＥは、反復伝送パラメータ（Ｒｅｐｅｔｉｔｉｏｎ  Ｆａｃｔｏｒ）（Ｎ＿ａｃｋｎａｃｋ＿ｔｒａｎｓｍｉｔ）だけのＨＳ−ＤＰＣＣＨサブフレームの間連続的にＡＣＫ／ＮＡＣＫを反復して伝送する。その反面、モニタリングされたＨＳ−ＳＣＣＨから該当のＵＥに対する制御情報を感知できない場合、ＵＥは基地局にＡＣＫ／ＮＡＣＫを伝送しない。
【００２６】
また、ＵＥは、ＣＰＩＣＨを測定してＣＱＩ値を基地局に伝送する。ＵＥは、ＣＱＩ値を反復要素（Ｎ＿ｃｑｉ＿ｔｒａｎｓｍｉｔ）だけのＨＳ−ＤＰＣＣＨサブフレームの間連続的に反復して伝送する。
【００２７】
以上説明したように、従来のＨＳＤＰＡシステムでの無線リンクパラメータの更新過程はＲＮＣから開始した。即ち、ＲＮＣは、該当の無線リンクのパラメータ更新が必要であるかを感知／決定し、更新が必要である場合、Ｎｏｄｅ  Ｂに更新する無線パラメータ値を伝達した。即ち、Ｎｏｄｅ  Ｂは、ＲＮＣがトリガ（Ｔｒｉｇｇｅｒｉｎｇ）する無線ベアラ再構成プロシージャを通してのみＨＳ−ＤＰＣＣＨパラメータを更新することができ、自体的な判断によりＨＳ−ＤＰＣＣＨパラメータを更新することはできなかった。
【００２８】
しかし、ＨＳＤＰＡシステムの場合、ＨＳＤＰＡスケジューラはＮｏｄｅ  Ｂに存在し、前記Ｎｏｄｅ  ＢのＨＳＤＰＡスケジューラは、ＲＮＣの開始がなくても、自体的な判断によって前記ＨＳ−ＤＰＣＣＨパラメータを更新すべきである。
【００２９】
従って、従来のように、ＨＳ−ＤＰＣＣＨ関連パラメータ（例えばＡＣＫ／ＮＡＣＫとＣＱＩの周期及び反復情報）の更新過程をＲＮＣから開始すると、Ｎｏｄｅ  ＢのＨＳＤＰＡスケジューラは、ＵＥ（移動局）によるＡＣＫ／ＮＡＣＫ伝送及びＣＱＩ報告を自律的に制御することができない。よって、従来のパラメータ更新方法によると、ＨＳＤＰＡスケジューリングを制限して無線資源を非効率的に使用するようになる。
【発明の開示】
【発明が解決しようとする課題】
【００３０】
本発明の目的は、ＨＳＤＰＡスケジューリング機能及び無線資源管理を効率的に行える無線リンクパラメータ更新方法を提供することにある。
【００３１】
本発明の他の目的は、基地局で無線リンクパラメータ更新を行えるパラメータ更新方法を提供することにある。
【００３２】
本発明の他の目的は、ＲＮＣの開始なしでも、基地局が無線リンクパラメータ更新を開始できるパラメータ更新方法を提供することにある。
【００３３】
本発明の他の目的は、更新されるパラメータ値を基地局からＲＮＣに伝達するシグナリングを提供することにある。
【００３４】
本発明の他の目的は、無線リンク状況が反映された基地局による無線リンクパラメータ更新方法を提供することにある。
【００３５】
本発明の他の目的は、基地局で更新したパラメータをＲＮＣにシグナリングする方法を支援するための基本プロシージャを提供することにある。
【００３６】
本発明の他の目的は、ＲＮＣから基地局にパラメータ更新決定のための情報を知らせる基本プロシージャを提供することにある。
【００３７】
本発明の他の目的は、ＲＮＣから基地局に移動局の無線リンク状況を知らせる基本プロシージャを提供することにある。
【課題を解決するための手段】
【００３８】
このような目的を達成するために、ＨＳＤＰＡシステムにおいて、本発明に係る移動通信システムにおける無線リンクパラメータ更新方法は、基地局が無線リンクパラメータの更新をトリガし、ＲＮＣを通して無線チャネル状況によって無線チャネル区間のパラメータを動的に変更することを特徴とする。
【００３９】
望ましく、前記パラメータは、ＨＳＤＰＡ関連パラメータであり、移動局と基地局との間のアップリンクパラメータであることを特徴とする。この場合、前記ＨＳＤＰＡ関連パラメータは、ＨＳ−ＤＰＣＣＨ関連パラメータ、ＨＳ−ＤＳＣＨ関連パラメータ及びＨＳ−ＳＣＣＨ関連パラメータである。また、前記基地局は、パラメータ更新情報をＲＮＣに伝達することでパラメータの更新をトリガする。
【００４０】
望ましく、前記パラメータ更新情報は、無線リンク（ＲＬ）パラメータ更新要求（Ｐａｒａｍｅｔｅｒ  Ｕｐｄａｔｅ  Ｒｅｑｕｅｓｔ）メッセージであることを特徴とする。この場合、前記ＲＬパラメータ更新要求メッセージは、ＣＱＩフィードバック周期値、ＡＣＫ／ＮＡＣＫ  反復要素値、ＣＱＩ反復要素値、ＣＱＩパワーオフセット、ＡＣＫパワーオフセット及びＮＡＣＫパワーオフセット値、並びにＨＳ−ＳＣＣＨコード変更指示子値中少なくとも何れか一つを含む。
【００４１】
前記基地局は、移動局の無線チャネル状況が変更されると、パラメータの更新を決定することができる。前記パラメータの更新は、所定の報告周期ごとに、または無線リンクの状態を示すパラメータが所定の臨界値を越える時に決定される。この場合、前記周期及び臨界値は、内部的に設定された値を使用するか、またはＲＮＣがＲＬパラメータ更新開始（Ｐａｒａｍｅｔｅｒ  Ｕｐｄａｔｅ  Ｉｎｉｔｉａｔｉｏｎ）メッセージを通して伝達した値を使用することができる。
【００４２】
望ましく、前記基地局は、現在の移動局の無線リンク構成情報によって前記パラメータ更新情報を調節することができる。
【００４３】
望ましく、前記無線リンクの構成情報は、ＲＬ構成情報メッセージを通してＲＮＣから基地局に伝達されることを特徴とする。この場合、前記基地局は、現在の移動局の無線リンク構成情報を分析し、移動局がハンドオーバーを開始及び終了する場合にパラメータ更新をトリガする。また、前記基地局は、現在の移動局の無線リンク構成情報を分析し、移動局の無線リンク数に変化がある場合、パラメータ更新をトリガする。
【００４４】
望ましく、前記ＲＮＣは、更新されたパラメータが適用される時間情報を基地局に伝達することを特徴とする。そして、前記ＲＮＣは、更新されたパラメータ及び時間情報をＲＲＣシグナリングを通して移動局に伝達する。この場合、前記時間情報は、Ａｃｔｉｖａｔｉｏｎ  ｔｉｍｅまたはＣＦＮ（Ｃｏｎｎｅｃｔｉｏｎ  ｆｒａｍｅ  ｎｕｍｂｅｒ）パラメータであり、前記移動局に伝送される時間情報は、基地局に伝送される時間情報と同一である。
【００４５】
望ましく、前記方法のＲＮＣは、ＳＲＮＣであることを特徴とする。
【００４６】
このような目的を達成するために、ＨＳＤＰＡシステムにおいて、本発明に係る移動通信システムにおける無線リンクパラメータ更新方法は、基地局とＲＮＣの各スケジューラとの間に機能差が発生する場合、基地局によるパラメータ更新トリガによってＲＮＣが最終的に無線リンクのパラメータ更新を行うことを特徴とする。
【００４７】
望ましく、前記ＲＮＣは、ＳＲＮＣであることを特徴とする。
【００４８】
望ましく、前記無線リンクパラメータは、ＨＳ−ＤＰＣＣＨ関連パラメータであることを特徴とする。
【００４９】
望ましく、前記基地局は、更新されるパラメータ情報をＲＮＣに伝達することでパラメータの更新をトリガし、前記パラメータ情報は、無線リンク（ＲＬ）パラメータ更新要求メッセージであることを特徴とする。この場合、前記ＲＬパラメータ更新要求メッセージは、ＣＱＩフィードバック周期値、ＡＣＫ／ＮＡＣＫ反復要素値、ＣＱＩ反復要素値、ＣＱＩパワーオフセット、ＡＣＫパワーオフセット及びＮＡＣＫパワーオフセット値、並びにＨＳ−ＳＣＣＨコード変更指示子値中少なくとも一つを含む。
【００５０】
望ましく、前記パラメータ更新情報は、現在の移動局の無線リンク構成情報によって調節され、前記無線リンクの構成情報は、ＲＮＣから基地局に伝達されることを特徴とする。
【００５１】
望ましく、前記パラメータの更新は、所定周期ごとに、または無線リンクの状態を示すパラメータが所定臨界値を越える時に決定されることを特徴とする。この場合、前記周期及び臨界値は、内部的に設定された値を使用するか、またはＲＮＣから伝達された値を使用する。
【００５２】
このような目的を達成するために、ＨＳＤＰＡシステムにおいて、本発明に係る移動通信システムにおける無線リンクパラメータ更新方法は、基地局で移動局の無線チャネル状況を感知する段階と、移動局の無線チャネル状況が変更されると、基地局で無線リンクパラメータの更新を決定する段階と、基地局からＲＮＣに無線リンクパラメータ更新情報を伝達する段階と、を含む。
【００５３】
望ましく、前記ＲＮＣは、ＳＲＮＣであることを特徴とする。
【００５４】
望ましく、前記無線リンクパラメータは、ＨＳ−ＤＰＣＣＨ関連パラメータである。また、前記無線リンクパラメータは、ＨＳ−ＤＳＣＨ及びＨＳ−ＳＣＣＨ関連パラメータである。
【００５５】
望ましく、前記パラメータ更新情報は、ＲＬパラメータ更新要求メッセージを通して伝送され、前記ＲＬパラメータ更新要求メッセージは、ＣＱＩフィードバック周期値、ＡＣＫ／ＮＡＣＫ反復要素値、ＣＱＩ反復要素値、ＣＱＩパワーオフセット、ＡＣＫパワーオフセット及びＮＡＣＫパワーオフセット値、並びにＨＳ−ＳＣＣＨコード変更指示子値中少なくとも一つを含む。
【００５６】
前記方法における前記パラメータの更新は、所定周期ごとに、または無線リンクの状態を示すパラメータが所定臨界値を越える時に決定されることを特徴とする。この場合、前記周期及び臨界値は、内部的に設定された値を使用することができる。
【００５７】
前記方法において、前記パラメータ更新決定条件をＲＬパラメータ更新開始メッセージを通してＲＮＣから基地局に伝達する段階を更に含む。
【００５８】
前記決定条件は、基地局がどのパラメータを測定して無線リンクの変更を感知するかを示すパラメータと、パラメータ更新を周期的に行うか、またはイベントに基づいて行うかを示すイベントタイプパラメータと、前記イベントタイプパラメータに対する実際の周期または臨界値を示すパラメータと、を含む。
【００５９】
前記方法において、前記移動局に連結された無線リンクに変更が発生すると、新しい無線リンク構成情報をＲＮＣから基地局に伝達する段階を更に含む。
【００６０】
望ましく、前記基地局は、新しい無線リンク構成情報によってＲＮＣに伝達されるパラメータ更新情報を生成し、前記無線リンク構成情報は、ＲＬ構成情報メッセージを通して伝達されることを特徴とする。この場合、前記基地局は、現在の移動局の無線リンク構成情報を分析し、移動局がハンドオーバーを開始及び終了する場合にパラメータ更新をトリガする。また、前記基地局は、現在の移動局の無線リンク構成情報を分析し、移動局の無線リンク数に変化がある場合にパラメータ更新をトリガすることができる。
【００６１】
前記方法において、前記更新された新しい無線リンクパラメータ及びそのパラメータが適用される時間情報をＲＮＣから基地局に伝達する段階を更に含む。
【００６２】
望ましく、前記時間情報は、Ａｃｔｉｖａｔｉｏｎ  ｔｉｍｅまたはＣＦＮパラメータであることを特徴とする。
【００６３】
前記方法において、前記更新された新しい無線リンクパラメータ及びそのパラメータが適用される時間情報をＲＮＣから移動局に伝達する段階を更に含む。
【００６４】
このような目的を達成するために、ＨＳＤＰＡシステムにおいて、本発明に係る移動通信システムにおける無線リンクパラメータ更新方法は、Ｎｏｄｅ  Ｂが移動局の無線チャネル変更を感知した後、パラメータ更新情報をＲＮＣに伝達し、ＨＳＤＰＡ関連パラメータの更新をトリガするＲＬパラメータ更新プロシージャと、伝達されたパラメータ更新情報によってＨＳＤＰＡ関連パラメータを更新し、更新された新しいパラメータをＲＮＣから移動局にシグナリングするＲＲＣプロシージャと、を含む。
【００６５】
望ましく、前記ＲＮＣは、ＳＲＮＣであることを特徴とする。
【００６６】
望ましく、前記パラメータ更新情報は、ＲＬパラメータ更新要求メッセージを通して伝達されることを特徴とする。
【００６７】
望ましく、前記ＲＬパラメータ更新要求メッセージは、ＣＱＩフィードバック周期値、ＡＣＫ／ＮＡＣＫ反復要素値、ＣＱＩ反復要素値、ＣＱＩパワーオフセット、ＡＣＫパワーオフセット及びＮＡＣＫパワーオフセット値、並びにＨＳ−ＳＣＣＨコード変更指示子値中少なくとも一つを含むことを特徴とする。
【００６８】
望ましく、前記ＲＮＣは、ＲＬパラメータ更新応答（ｐａｒａｍｅｔｅｒ  ｕｐｄａｔｅ  ｒｅｓｐｏｎｓｅ）メッセージを通して更新されたＨＳＤＰＡ関連パラメータ及びそのパラメータが実際に適用される時点を指示する時間情報を基地局に伝達することを特徴とする。この場合、時間情報は、Ａｃｔｉｖａｔｉｏｎ  ｔｉｍｅまたはＣＦＮパラメータである。また、前記ＲＮＣは、無線ベアラ再構成、伝送チャネル再構成及び物理チャネル再構成メッセージ中何れか一つを使用し、前記更新されたＨＳＤＰＡ関連パラメータ及びそのパラメータが実際に適用される時点を指示する時間情報を移動局に伝達する。
【００６９】
望ましく、前記ＲＬパラメータ更新プロシージャは、所定周期ごとに、または無線リンクの状態を示すパラメータが所定臨界値を越える時に行われることを特徴とする。この場合、前記周期及び臨界値は、基地局の内部に設定された値であるか、ＲＮＣから提供された値であることを特徴とする。
【００７０】
前記方法において、ＲＮＣがＲＬパラメータ更新開始要求（ｐａｒａｍｅｔｅｒ  ｕｐｄａｔｅ  ｉｎｉｔｉａｔｉｏｎ  ｒｅｑｕｅｓｔ）メッセージを利用して、前記ＨＳＤＰＡ関連パラメータを更新する時に必要な情報を基地局に知らせるＲＬパラメータ更新開始プロシージャを更に含む。
【００７１】
望ましく、前記ＲＬパラメータ更新開始要求メッセージは、基地局がどのパラメータを測定して無線リンクの変更を感知するかを示すパラメータと、パラメータ更新を周期的に行うか、またはイベントに基づいて行うかを示すイベントタイプパラメータと、前記イベントタイプパラメータに対する実際の周期または臨界値を示すパラメータと、を含む。
【００７２】
前記方法において、ＲＬ構成情報メッセージを利用して現在の移動局の無線リンクの構成情報をＲＮＣから基地局にシグナリングするＲＬ構成情報プロシージャを更に含む。
【００７３】
望ましく、前記基地局は、ＲＬ構成情報メッセージに基づいて移動局のソフトハンドオーバー可否及び無線リンク数の変化を判断し、ＲＬパラメータ更新プロシージャを行う。
【００７４】
望ましく、前記基地局は、移動局がソフトハンドオーバーを開始及び終了する場合にＲＬパラメータ更新プロシージャを行うことができる。また、前記基地局は、移動局の無線リンク数に変化がある場合にＲＬパラメータ更新プロシージャを行うことができる。
【発明を実施するための最良の形態】
【００７５】
本発明は、３ＧＰＰにより開発されたＵＭＴＳのような移動通信システムで実現される。然し、本発明は、他の標準によって動作する通信システムにも適用される。以下、本発明の各実施形態を詳細に説明する。
【００７６】
ＨＳＤＰＡシステムの場合、ＨＳＤＰＡスケジューラはＮｏｄｅ  Ｂに存在する。Ｎｏｄｅ  ＢのＨＳＤＰＡスケジューラは、ＨＳ−ＳＣＣＨを通してＵＥにＨＳ−ＰＤＳＣＨに関連した制御情報をダウンリンク伝送し、ＨＳ−ＰＤＳＣＨを通してＨＳ−ＤＳＣＨデータをＵＥにダウンリンク伝送する。これに対する応答として、ＵＥは、アップリンクＨＳ−ＤＰＣＣＨを通してＨＳＤＰＡ関連フィードバック情報（ＡＣＫ／ＮＡＣＫ及びＣＱＩ）をＮｏｄｅ  Ｂにアップリンク伝送する。Ｎｏｄｅ  ＢのＨＳＤＰＡスケジューラは、前記ダウンリンク及びアップリンク伝送を制御するためにＨＳＤＰＡ関連パラメータ（ＨＳ−ＤＰＣＣＨ関連、ＨＳ−ＤＳＣＨ関連及びＨＳ−ＳＣＣＨ関連パラメータ）を設定することができる。本発明では、説明の便宜のためにＨＳ−ＤＰＣＣＨ関連パラメータに限定して記述する。
【００７７】
Ｎｏｄｅ  Ｂ（ＨＳＤＰＡスケジューラ）は、前記ＨＳ−ＤＰＣＣＨ関連パラメータに基づいて無線チャネルの状況を感知した後、ＲＮＣのスケジューラにＨＳ−ＤＰＣＣＨ関連パラメータの更新を要求することができる。例えば、無線チャネルの状態が良好である場合は、ＡＣＫ／ＮＡＣＫ及びＣＱＩの反復を減らして無線資源の浪費を予防する。その反面、無線チャネルの状態が良好でない場合は、ＡＣＫ／ＮＡＣＫ及びＣＱＩの反復を増やして伝送性能を向上することができる。以下、Ｎｏｄｅ  ＢのＨＳＤＰＡスケジューラ及びＲＮＣのスケジューラを、簡単にＮｏｄｅ  Ｂ及びＲＮＣと略称する。
【００７８】
本発明は、ＨＳＤＰＡシステムの性能向上のために、Ｎｏｄｅ  Ｂによって開始される無線リンクパラメータ更新プロシージャを提案する。また、本発明は、更新されるパラメータをＮｏｄｅ  ＢからＲＮＣに伝達するシグナリング及びこれを支援するための基本プロシージャを提案するだけでなく、前記基本プロシージャを利用した適用例を提示する。
【００７９】
図５は、本発明に係るＨＳＤＰＡパラメータ更新方法を示したフローチャートである。
【００８０】
図５に示したように、Ｎｏｄｅ  Ｂは、ＨＳＤＰＡサービスを支援する移動局（ＵＥ）の無線チャネルの状況が変更されると（Ｓ２０２）、ＨＳＤＰＡ関連パラメータを更新するかどうかを決定する（Ｓ２０４）。ＨＳＤＰＡ関連パラメータを更新することに決定すると、Ｎｏｄｅ  Ｂは、該当のパラメータ値を計算した後（Ｓ２０６）、ＲＮＣに伝達して、該当のパラメータの更新を要請する（Ｓ２０８）。ＲＮＣは、Ｎｏｄｅ  Ｂから伝達されたパラメータ値によって更新を行った後、Ｎｏｄｅ  Ｂにパラメータ更新が終了したことを知らせ（Ｓ２１０）、ＲＲＣシグナリングを通してＵＥに伝達してＵＥのパラメータを更新する（Ｓ２１２）。そして、更新されたパラメータは、前記更新応答と共にＮｏｄｅ  Ｂに伝達される。
【００８１】
前記フローチャートによってＮｏｄｅ  ＢからＲＮＣにＨＳＤＰＡ関連パラメータの更新をトリガするために、本発明は、基地局によるＲＬパラメータ更新プロシージャを新しく定義する。
【００８２】
（１．ＲＬパラメータ更新プロシージャ）
図６（Ａ）及び図６（Ｂ）は、ＲＬパラメータ更新プロシージャが成功した場合で、図７（Ａ）及び図７（Ｂ）は、ＲＬパラメータ更新プロシージャが失敗した場合である。
【００８３】
移動局（ＵＥ）の無線チャネルの状況が変更されると、Ｎｏｄｅ  ＢがＨＳＤＰＡ関連パラメータを更新するかどうかを決定した後、Ｎｏｄｅ  Ｂは、基本プロシージャであるＲＬパラメータ更新プロシージャを行って更新される情報をＲＮＣに伝達する。
【００８４】
即ち、図６（Ａ）に示したように、ＲＬパラメータ更新プロシージャが行われると、Ｎｏｄｅ  Ｂは更新される情報をＣＲＮＣに知らせる（Ｓ２２０）。この場合、前記更新される情報は、ＲＬパラメータ更新要求メッセージである。前記ＲＬパラメータ更新要求メッセージには、ＣＱＩフィードバック周期パラメータｋ、ＡＣＫ／ＮＡＣＫ反復要素（Ｎ＿ａｃｋｎａｃｋ＿ｔｒａｎｓｍｉｔ）及びＣＱＩ反復要素（Ｎ＿ｃｑｉ＿ｔｒａｎｓｍｉｔ）が含まれる。これに限定されずに、前記ＲＬパラメータ更新要求メッセージには、ＣＱＩパワーオフセット、ＡＣＫパワーオフセット及びＮＡＣＫパワーオフセット、並びにＨＳ−ＳＣＣＨコード変更指示子が含まれる。
【００８５】
ＣＲＮＣは、Ｎｏｄｅ  Ｂから伝達を受けたパラメータ値を利用して該当のパラメータを更新することを決定した後、ＲＬパラメータ更新応答メッセージを通して応答し（Ｓ２２２）、前記ＲＬパラメータ更新応答メッセージには、更新されたパラメータ及びその更新されたパラメータが実際に適用される時点を指示するＣＦＮパラメータが含まれる。
【００８６】
従って、前記基本プロシージャであるＲＬパラメータ更新プロシージャを通して、Ｎｏｄｅ  ＢのＨＳＤＰＡスケジューラは、ＵＥにより行われるＡＣＫ／ＮＡＣＫ伝送及びＣＱＩ報告を制御するようになる。
【００８７】
以上説明したように、前記ＲＬパラメータ更新プロシージャで、ＲＮＣはＮｏｄｅ  Ｂの要請によって要求されたパラメータ更新を最終的に行う。しかし、もしＮｏｄｅ  Ｂ及びＲＮＣの機能が異なる場合、即ち、Ｎｏｄｅ  Ｂはパラメータを更新しようとするが、ＲＮＣは該当のパラメータの更新を必要としない場合、該当のパラメータに対する最終的な更新決定はＲＮＣによって行われる。
【００８８】
ＣＲＮＣ及びＳＲＮＣは同じシステムに位置することもでき、ＵＥの移動によって互いに異なるシステムに位置することもできる。このとき、ＣＲＮＣ及びＳＲＮＣはＩｕｒインターフェースを通して連結される。
【００８９】
もし、ＣＲＮＣ及びＳＲＮＣが同一でない場合、図６（Ｂ）に示したように、ＣＲＮＣは、Ｉｕｒインターフェースを通してＮｏｄｅ  Ｂから受信したパラメータ値をＳＲＮＣに伝達し（Ｓ２２４）、ＳＲＮＣは、ＲＬパラメータ更新応答メッセージを利用してＮｏｄｅ  Ｂにパラメータ更新を適用することを指示する（Ｓ２２６）。
【００９０】
また、ＳＲＮＣは、Ｎｏｄｅ  Ｂから受信したＨＳＤＰＡ関連パラメータ情報をＲＲＣシグナリングを通してＵＥに伝達する。この場合、前記ＲＲＣシグナリングは、無線ベアラ再構成、伝送チャネル再構成及び物理チャネル再構成メッセージ中何れか一つを使用することができる。
【００９１】
図７（Ａ）及び図７（Ｂ）は、前記ＲＬパラメータ更新プロシージャが失敗した場合のメッセージ流れを示した図で、ＲＬパラメータ更新プロシージャが失敗すると、ＣＲＮＣまたはＳＲＮＣは、ＲＬパラメータ更新失敗（Ｐａｒａｍｅｔｅｒ  Ｕｐｄａｔｅ  Ｆａｉｌｕｒｅ）メッセージを通してＮｏｄｅ  Ｂにパラメータ更新失敗を知らせる（Ｓ２３０、Ｓ２３２、Ｓ２３４、Ｓ２３６）。
【００９２】
本発明では、Ｎｏｄｅ  ＢがＨＳＤＰＡ関連パラメータ更新を開始するかどうかを決定するにおいて、次の４個の方法が使用される。
【００９３】
１）Ｎｏｄｅ  Ｂの内部的な実現によってＨＳＤＰＡ関連パラメータを更新する。即ち、Ｎｏｄｅ  Ｂが内部的に更新周期または臨界値を設定して、前記更新周期になるか無線リンクの状態を指示するパラメータが所定臨界値を越えると、パラメータ更新が行われる。この場合、Ｎｏｄｅ  ＢとＲＮＣとの間のインターフェース上で追加シグナリングは必要でない。
【００９４】
２）Ｎｏｄｅ  ＢとＲＮＣとの間のシグナリングによりＨＳＤＰＡ関連パラメータを更新する。
【００９５】
２−１）周期的に更新する。
【００９６】
２−２）無線リンクの状態を指示するパラメータが臨界値を越えると更新する。
【００９７】
２−３）ＵＥがソフトハンドオーバーであるかによって更新する。
【００９８】
前記方法（２）は、ＨＳＤＰＡ関連パラメータ値をＮｏｄｅ  Ｂから受ける時期をＲＮＣが設定する場合であって、ＲＮＣは、シグナリングによりＨＳＤＰＡ関連パラメータ値の報告条件をＮｏｄｅ  Ｂに伝達する。このとき、前記方法（２−１）は周期的な更新方法であり、方法（２−２）はイベントに基づく更新方法である。
【００９９】
従って、前記方法（２−１及び２−２）を使用するためには、パラメータ更新方法（周期的に遂行／イベント発生時に遂行）及びこれに必要なパラメータ（周期／臨界値）をＳＲＮＣからＮｏｄｅ  Ｂに知らせるシグナリングが更に必要である。このために、本発明は、基本プロシージャであるＲＬパラメータ更新開始プロシージャを定義する。このとき、図８（Ａ）及び図８（Ｂ）は、ＲＬパラメータ更新開始プロシージャが成功した場合を示し、図９（Ａ）及び図９（Ｂ）は、ＲＬパラメータ更新開始プロシージャが失敗した場合を示す。
【０１００】
（２．ＲＬパラメータ更新開始プロシージャ）
図８（Ａ）に示したように、ＲＬパラメータ更新開始プロシージャが開始されると、ＣＲＮＣは、ＲＬパラメータ更新開始要求メッセージをＮｏｄｅ  Ｂに伝達し（Ｓ２４０）、これに対する応答として、Ｎｏｄｅ  Ｂは、ＲＬパラメータ更新開始応答（ｐａｒａｍｅｔｅｒ  ｕｐｄａｔｅ  ｉｎｉｔｉａｔｉｏｎ  ｒｅｓｐｏｎｓｅ）メッセージをＣＲＮＣに伝送する（Ｓ２４２）。
【０１０１】
この場合、ＲＬパラメータ更新開始要求メッセージは、Ｎｏｄｅ  Ｂでどのパラメータを測定すべきかを知らせるパラメータと、イベントタイプパラメータとを含む。前記イベントタイプは、列挙（Ｅｎｕｍｅｒａｔｅ）型パラメータとして周期的／イベントの２種類の値を有する。イベントタイプパラメータ値が周期的である場合、パラメータ更新は提供される周期によって周期的に行われ、イベントである場合、パラメータ更新は、無線リンクの状態を指示するパラメータが設定された上限または下限臨界値を越えるときに行われる。また、イベントタイプパラメータ値が周期的である場合は、周期を知らせるパラメータが更に含まれ、イベントタイプパラメータ値がイベントである場合は、臨界値を知らせるパラメータが更に含まれる。
【０１０２】
もし、ＣＲＮＣ及びＳＲＮＣが同一でない場合、図８（Ｂ）に示したように、ＳＲＮＣは、ＣＲＮＣを通してＮｏｄｅ  ＢにＲＬパラメータ更新開始要求メッセージを伝達し（Ｓ２４４）、これに対する応答としてＣＲＮＣからＲＬパラメータ更新開始応答メッセージを受信する（Ｓ２４６）。
【０１０３】
図９（Ａ）及び図９（Ｂ）は、ＲＬパラメータ更新開始プロシージャが失敗した場合を示したフローチャートで、ＣＲＮＣまたはＳＲＮＣは、ＲＬパラメータ更新開始要求メッセージに対する応答としてＲＬパラメータ更新開始失敗（Ｐａｒａｍｅｔｅｒ  Ｕｐｄａｔｅ  Ｉｎｉｔｉａｔｉｏｎ  Ｆａｉｌｕｒｅ）メッセージをＮｏｄｅ  ＢまたはＣＲＮＣから受信する（Ｓ２５０、Ｓ２５２、Ｓ２５４、Ｓ２５６）。
【０１０４】
以上説明したように、Ｎｏｄｅ  Ｂは、自体に設定されるか、ＲＮＣが設定した周期または臨界値によってＲＮＣにＨＳＤＰＡ関連パラメータ更新をトリガする情報を伝達することができる。
【０１０５】
現在の３ＧＰＰ規格によると、Ｎｏｄｅ  Ｂは、ＵＥがハンドオーバー状態であるかどうかを知ることができない。従って、Ｎｏｄｅ  Ｂは、該当のＵＥの全ての無線リンク状態を考慮したパラメータ更新を行うことができない。
【０１０６】
前記方法（２−３）は、ＵＥの無線リンク構成をＲＮＣからＮｏｄｅ  Ｂに知らせて、Ｎｏｄｅ  Ｂが行うＲＬパラメータ更新プロシージャがより正確に行われるようにする。ＲＮＣは、ＵＥの無線リンク構成が変更されるとき、無線リンク構成情報をＮｏｄｅ  Ｂに知らせる。このような情報に基づいて、Ｎｏｄｅ  Ｂは更新されるＨＳＤＰＡ関連パラメータ値を調節することができる。
【０１０７】
前記方法（２−３）を使用するためには、ＵＥのソフトハンドオーバーの可否をＳＲＮＣからＮｏｄｅ  Ｂに知らせるシグナリングが必要である。このために、本発明は、図１０（Ａ）及び図１０（Ｂ）に示したように、基本プロシージャであるＲＬ構成情報プロシージャを定義する。
【０１０８】
（３．ＲＬ構成情報プロシージャ）
図１０（Ａ）を参照すると、ＲＬ構成情報プロシージャで、ＣＲＮＣはＮＡＢＰプロトコルのＲＬ構成情報メッセージをＮｏｄｅ  Ｂに伝達する。もし、ＣＲＮＣ及びＳＲＮＣが同一でない場合、図１０（Ｂ）に示したように、ＳＲＮＣは、ＤＲＮＣを通してＮｏｄｅ  ＢにＲＬ構成情報メッセージを伝達する。
【０１０９】
前記ＲＬ構成情報メッセージには、特定のＵＥに設定された各無線リンクの構成情報（例えば、該当のＵＥに設定された各無線リンクのリスト）が含まれる。この情報を通してＮｏｄｅ  ＢのＨＳＤＰＡスケジューラは、該当のＵＥがソフトハンドオーバー状態にあるかどうかを把握することができ、該当のＵＥに設定された各無線リンクの数を把握することもできる。
【０１１０】
無線リンク状況報告メッセージである前記ＲＬ構成情報メッセージは、該当のＵＥに無線リンクが追加されるか、既存の無線リンクが除去される場合のように無線リンクの構成が変更されるとき、ＲＮＣによりＮｏｄｅ  Ｂに伝達される。
【０１１１】
そして、基本プロシージャであるＲＬパラメータ更新プロシージャ及び前記方法（２−３）を利用する場合は、次の２種類の方法が可能である。
【０１１２】
１．該当のＵＥがソフトハンドオーバーを開始及び終了する場合のみにＲＬパラメータ更新プロシージャを行う。
【０１１３】
２．該当のＵＥの無線リンク数に変化がある場合のみにＲＬパラメータ更新プロシージャを行う。
【０１１４】
以下、前述したパラメータ更新を決定するための方法（１、２、２−１、２−２、２−３）及び基本プロシージャであるＲＬパラメータ更新プロシージャを利用してＨＳＤＰＡ関連パラメータを更新する適用例を説明する。
【０１１５】
図１１は、ＲＬパラメータ更新プロシージャの実施形態を示した信号フローチャートである。即ち、図１１は、基本プロシージャであるＲＬパラメータ更新プロシージャ及びパラメータ更新決定方法（１）を利用してＨＳＤＰＡ関連パラメータを更新する適用例である。
【０１１６】
Ｎｏｄｅ  Ｂは、内部的に無線状況（例：干渉）を測定するか、使用者データ伝送状態（例えば、伝送するデータの有無）をモニタリングする。図１１に示したように、Ｎｏｄｅ  Ｂは、更新周期になるか、または無線リンクの状態を指示するパラメータが所定臨界値を越えるとき、ＨＳ−ＤＰＣＣＨ関連パラメータの更新を開始する（Ｓ２７０）。Ｎｏｄｅ  Ｂは、ＮＢＡＰのＲＬパラメータ更新要求メッセージを通して、更新されるＨＳＤＰＡ関連パラメータ値をＲＮＣに伝達することでＲＬパラメータ更新プロシージャを開始する（Ｓ２７２）。
【０１１７】
もし、ＤＲＮＣがある場合、ＤＲＮＣは、ＲＮＳＡＰのＲＬパラメータ更新要求メッセージを通して前記Ｎｏｄｅ  Ｂから伝達された、更新されるＨＳＤＰＡ関連パラメータ値をＳＲＮＣに渡す（Ｓ２７４）。ＳＲＮＣは、ＲＬパラメータ更新応答メッセージを通して更新されたＨＳＤＰＡ関連パラメータ及び該当のＨＳＤＰＡ関連パラメータ値が適用される時間情報であるＡｃｔｉｖａｔｉｏｎ  ＴｉｍｅをＮｏｄｅ  Ｂに伝送する（Ｓ２７６）。この場合、前記Ａｃｔｉｖａｔｉｏｎ  Ｔｉｍｅは、新しいＨＳＤＰＡ関連パラメータが適用されるＣＦＮ値を含む。
【０１１８】
もしＤＲＮＣが存在する場合、ＤＲＮＣは、ＳＲＮＣから伝達を受けたＡｃｔｉｖａｔｉｏｎ  ＴｉｍｅをＮＢＡＰのＲＬパラメータ更新応答メッセージを通してＮｏｄｅ  Ｂに伝達する（Ｓ２７８）。
【０１１９】
また、ＲＮＣは、ＲＲＣシグナリングを通して、即ち、無線ベアラ再構成、伝送チャネル再構成及び物理チャネル再構成メッセージ中何れか一つのＲＲＣメッセージを利用して、更新されたＨＳＤＰＡ関連パラメータをＵＥに伝達する。このとき、更新されたパラメータ値が適用される時間情報であるＡｃｔｉｖｅ  Ｔｉｍｅも共に伝達される。そして、前記ＵＥに伝送されるＡｃｔｉｖｅ  Ｔｉｍｅは、Ｎｏｄｅ  Ｂに伝達されたＡｃｔｉｖｅ  Ｔｉｍｅと同一であり、前記ＲＲＣメッセージは、専用論理チャネル（ＤＣＣＨ）を通して伝達される。
【０１２０】
ＵＥは、無線ベアラ再構成、伝送チャネル再構成及び物理チャネル再構成メッセージを通してＲＮＣから新しいＨＳＤＰＡ関連パラメータを受信し、保存されたＨＳＤＰＡ関連パラメータを新しいＨＳＤＰＡ関連パラメータに更新した後、完了メッセージで応答する（Ｓ２８２）。新しいＨＳＤＰＡ関連パラメータ値は、共に伝達されたＡｃｔｉｖｅ  Ｔｉｍｅが指示する時点に該当のＵＥに適用される。
【０１２１】
図１２は、ＲＬパラメータ更新開始プロシージャ及びＲＬパラメータ更新プロシージャが共に実施される例を示した信号フローチャートである。即ち、図１２は、基本プロシージャであるＲＬパラメータ更新プロシージャ及びパラメータ更新決定方法（２−１または２−２）を利用してＨＳＤＰＡ関連パラメータを更新する適用例である。
【０１２２】
ＲＮＣは、Ｎｏｄｅ  ＢにＲＬパラメータ更新開始要求メッセージを伝送し、パラメータ更新を周期的にするか、またはイベントに基づいて行うかを知らせる（Ｓ２９０）。もしＤＲＮＣが存在する場合、ＳＲＮＣは、前記ＤＲＮＣを通してＲＬパラメータ更新開始要求メッセージをＮｏｄｅ  Ｂに伝達する（Ｓ２９２）。これに応答して、Ｎｏｄｅ  Ｂは、ＲＬパラメータ更新開始応答メッセージをＲＮＣに伝送するが、ＤＲＮＣが存在する場合は、ＤＲＮＣを通してＲＬパラメータ更新開始応答メッセージをＳＲＮＣに伝送する（Ｓ２９４、Ｓ２９６）。
【０１２３】
従って、Ｎｏｄｅ  Ｂは、ＲＬパラメータ更新開始要求メッセージに含まれたパラメータ更新方法（周期的に遂行／イベント発生時に遂行）及びこれと関連したパラメータ（周期／臨界値）に基づいてＨＳ−ＤＰＣＣＨ関連パラメータを更新するかどうかを決定する（Ｓ２９８）。
【０１２４】
即ち、ＲＬパラメータ更新開始要求メッセージに含まれた値が所定条件を満足すると（所定周期になるか、無線リンク状態を示すパラメータが臨界値の上限または下限を越える場合）、Ｎｏｄｅ  Ｂは、ＨＳＤＰＡ関連パラメータを更新（再設定）することに決定する。そして、Ｎｏｄｅ  Ｂは、ＮＢＡＰのＲＬパラメータ更新要求メッセージを通して、更新するＨＳＤＰＡ関連パラメータをＲＮＣに伝達する。その後の動作は、段階番号が異なるだけで図１１に示した手順と同一であり、その詳細な説明は省略する。
【０１２５】
図１３は、ＲＬ構成情報プロシージャ及びＲＬパラメータ更新プロシージャが共に実施される例を示した信号フローチャートである。即ち、図１３は、基本プロシージャであるＲＬパラメータ更新プロシージャ及び前記パラメータ更新決定方法（２−３）を利用してＨＳＤＰＡ関連パラメータを更新する適用例である。
【０１２６】
ＲＮＣは、該当のＵＥに連結された無線リンク（ＲＬ）構成に変更がある場合、新しい無線リンクの構成情報が含まれたＲＬ構成情報メッセージをＮｏｄｅ  Ｂに伝送することでＲＬ構成情報プロシージャを開始する（Ｓ３１０）。
【０１２７】
ＤＲＮＣが存在する場合、ＳＲＮＣは、まず、ＤＲＮＣにＲＬ構成情報メッセージを伝送し（Ｓ３１２）、ＤＲＮＣは、伝達を受けた無線リンクの構成情報をＮＢＡＰのＲＬ構成情報メッセージを通して該当のＮｏｄｅ  Ｂに伝達する（Ｓ３１４）。
【０１２８】
ＳＲＮＣから無線リンク構成の変更を把握したＮｏｄｅ  Ｂは、ＲＬパラメータ更新プロシージャを行い、既存のＨＳＤＰＡ関連パラメータを新しい無線リンク構成に合わせたＨＳＤＰＡ関連パラメータ値に再設定するようにＲＮＣに要求する。ＤＲＮＣが存在する場合、まず、Ｎｏｄｅ  Ｂは、ＲＬパラメータ更新要求メッセージを通して新しいＨＳＤＰＡ関連パラメータ値をＤＲＮＣに伝達し（Ｓ３１６）、その後の手順は、段階番号が異なるだけで図１１に示した手順と同一に行われる。
【０１２９】
図１４は、ＲＬパラメータ更新開始プロシージャ、ＲＬ構成情報プロシージャ及びＲＬパラメータ更新プロシージャが共に実施される例を示した信号フローチャートである。即ち、図１４は、Ｎｏｄｅ  Ｂが前記方法（２−１または２−２）を利用してＨＳ−ＤＰＣＣＨ関連パラメータを更新するかどうかを決定し、方法（２−３）を利用してより正確なパラメータ値を計算する適用例である。
【０１３０】
図１４を参照すると、まず、ＲＮＣは、Ｎｏｄｅ  ＢにＲＬパラメータ更新開始要求メッセージを伝送し、パラメータ更新報告を周期的に行うかまたはイベントに基づいて行うかを知らせる。ＤＲＮＣがある場合、ＳＲＮＣは、ＤＲＮＣに前記ＲＬパラメータ更新開始要求メッセージを伝送し（Ｓ３４０）、ＤＲＮＣは、ＳＲＮＣから伝達を受けたＲＬパラメータ  更新開始要求メッセージを該当のＮｏｄｅ  Ｂに知らせる（Ｓ３４２）。
【０１３１】
Ｎｏｄｅ  Ｂは、これに対する応答としてＲＬパラメータ更新開始応答メッセージをＲＮＣに伝送するが、もしＤＲＮＣが存在する場合、ＤＲＮＣは、Ｎｏｄｅ  Ｂから伝達を受けたＲＬパラメータ更新開始応答メッセージをＳＲＮＣに伝送する（Ｓ３４４、Ｓ３４８）。
【０１３２】
もし該当のＵＥに連結された無線リンクに変更がある場合、ＲＮＣは、ＲＬ構成情報メッセージを通して該当のＮｏｄｅ  Ｂに新しい無線リンクの構成情報を知らせる。ＤＲＮＣが存在する場合、ＳＲＮＣは、まず、ＤＲＮＣにＲＬ構成情報メッセージを伝送し（Ｓ３５０）、ＤＲＮＣは、伝達を受けた無線リンクの構成情報をＮＢＡＰのＲＬ構成情報メッセージを通して該当のＮｏｄｅ  Ｂに知らせる（Ｓ３５２）。
【０１３３】
ＳＲＮＣから無線リンクの変更を把握したＮｏｄｅ  Ｂは、該当の条件が満足すると（周期／臨界値の上限または下限を越える場合）ＨＳＤＰＡ関連パラメータの更新を決定する（Ｓ３５４）。このとき、Ｎｏｄｅ  Ｂは、前記ＲＬ構成情報メッセージを通してＳＲＮＣから受信した無線リンクの変更事項を共に考慮し、より正確なＨＳ−ＤＰＣＣＨ関連パラメータ値を決定する。ＤＲＮＣがある場合、まず、Ｎｏｄｅ  Ｂは、ＲＬパラメータ更新要求メッセージを通して新しいＨＳ−ＤＰＣＣＨ関連パラメータ値をＤＲＮＣに伝達し（Ｓ３５６）、その後の手順は、段階番号が異なるだけで図１１に示した手順と同一に行われる。
【０１３４】
以上説明したように、本発明は、基地局（Ｎｏｄｅ  Ｂ）が自体的にＨＳ−ＤＰＣＣＨ関連パラメータの更新を開始した後、更新しようとするパラメータ値をＲＮＣに伝達し、最終的にＲＮＣでＨＳ−ＤＰＣＣＨ関連パラメータの更新が行われるようにした。
【０１３５】
従って、従来は、ＲＮＣが開始する無線リンク設定及び無線リンク再構成プロシージャを通してのみＨＳ−ＤＰＣＣＨ関連パラメータ、例えば、ＣＱＩフィードバック周期ｋ値を更新したが、本発明では、基地局が開始する無線リンクパラメータ更新プロシージャを通してＨＳ−ＤＰＣＣＨ関連パラメータを更新することで最適の瞬間にＨＳ−ＤＰＣＣＨ関連パラメータを更新することができる。
【産業上の利用可能性】
【０１３６】
このように、本発明は、基地局で更新されるパラメータをＲＮＣにシグナリングするプロシージャを提案することで、基地局で送受信する無線リンク状況を反映した最適のパラメータ値を使用できるという効果がある。
【０１３７】
また、本発明は、基地局（Ｎｏｄｅ  Ｂ）がパラメータ更新プロシージャを開始するとき、ＲＮＣから基地局にパラメータ更新決定に必要な情報を提供するプロシージャを提案することで、ｋ値以外の他のパラメータに対しても基地局の状況に合わせて更新できるという効果がある。
【０１３８】
また、本発明は、ソフトハンドオーバーや無線リンクの状況変化をＲＮＣから基地局に知らせるプロシージャを定義することで、基地局で全ての無線リンク状況を考慮したパラメータ更新を行えるという効果がある。即ち、移動局に無線リンクが新しく追加されるか、既存の無線リンクが除去される場合のように無線リンクの構成が変更されるとき、基地局は、その状況に合うパラメータを設定することができる。
【０１３９】
従って、本発明は、前記各プロシージャを移動局の無線リンク状況に合わせて適用することで、従来の不適切なパラメータ設定による電力や資源の浪費を効果的に予防することができる。
【０１４０】
尚、本発明は、図面に示した実施形態に基づいて説明されたが、これは例示的なものに過ぎなく、本技術分野の通常の知識を有する者は、これにより多様な変形及び均等な他の実施形態が可能であることを理解するはずである。従って、本発明の真の技術的保護範囲は、添付された特許請求の範囲の技術的思想によって定められるべきである。
【図面の簡単な説明】
【０１４１】
【図１】図１は、ＨＳＤＰＡシステムにおけるアップリンクＨＳ−ＤＰＣＣＨのフレーム構造を示した図である。
【図２】図２は、ＨＳＤＰＡシステムでＵＴＲＡＮの構造を示した図である。
【図３】図３は、ＵＴＲＡＮの制御平面プロトコルを示した図である。
【図４】図４は、ＨＳＤＰＡシステムでＨＳ−ＤＳＣＨチャネルを設定するためのプロシージャを示すメッセージフローチャートを示した図である。
【図５】図５は、本発明の実施形態に係るＨＳＤＰＡパラメータ更新方法を示したフローチャートである。
【図６Ａ】図６（Ａ）は、本発明の実施形態に係るＲＬパラメータ更新プロシージャを示したフローチャートで、ＲＬパラメータ更新プロシージャが成功した場合を示した図である。
【図６Ｂ】図６（Ｂ）は、本発明の実施形態に係るＲＬパラメータ更新プロシージャを示したフローチャートで、ＲＬパラメータ更新プロシージャが成功した場合を示した図である。
【図７Ａ】図７（Ａ）は、本発明の実施形態に係るＲＬパラメータ更新プロシージャを示したフローチャートで、ＲＬパラメータ更新プロシージャが失敗した場合を示した図である。
【図７Ｂ】図７（Ｂ）は、本発明の実施形態に係るＲＬパラメータ更新プロシージャを示したフローチャートで、ＲＬパラメータ更新プロシージャが失敗した場合を示した図である。
【図８Ａ】図８（Ａ）は、本発明の実施形態に係るＲＬパラメータ更新開始プロシージャを示したフローチャートで、ＲＬパラメータ更新開始プロシージャが成功した場合を示した図である。
【図８Ｂ】図８（Ｂ）は、本発明の実施形態に係るＲＬパラメータ更新開始プロシージャを示したフローチャートで、ＲＬパラメータ更新開始プロシージャが成功した場合を示した図である。
【図９Ａ】図９（Ａ）は、本発明の実施形態に係るＲＬパラメータ更新開始プロシージャを示したフローチャートで、ＲＬパラメータ更新開始プロシージャが失敗した場合を示した図である。
【図９Ｂ】図９（Ｂ）は、本発明の実施形態に係るＲＬパラメータ更新開始プロシージャを示したフローチャートで、ＲＬパラメータ更新開始プロシージャが失敗した場合を示した図である。
【図１０Ａ】図１０（Ａ）は、本発明の実施形態に係るＲＬ構成情報プロシージャを示したフローチャートである。
【図１０Ｂ】図１０（Ｂ）は、本発明の実施形態に係るＲＬ構成情報プロシージャを示したフローチャートである。
【図１１】図１１は、本発明の実施形態に係るＲＬパラメータ更新プロシージャの実際の適用例を示したフローチャートである。
【図１２】図１２は、本発明の実施形態に係るＲＬパラメータ更新開始プロシージャ及びＲＬパラメータ更新プロシージャが共に実施される適用例を示した信号フローチャートである。
【図１３】図１３は、本発明の実施形態に係るＲＬ構成情報プロシージャ及びＲＬパラメータ更新プロシージャが共に実施される適用例を示した信号フローチャートである。
【図１４】図１４は、本発明の実施形態に係るＲＬパラメータ更新開始プロシージャ、ＲＬ構成情報プロシージャ及びＲＬパラメータ更新プロシージャが共に実施される適用例を示した信号フローチャートである。
【図１】
2008301503.tif 000002
【図２】
2008301503.tif 000003
【図３】
2008301503.tif 000004
【図４】
2008301503.tif 000005
【図５】
2008301503.tif 000006
【図６Ａ】
2008301503.tif 000007
【図６Ｂ】
2008301503.tif 000008
【図７Ａ】
2008301503.tif 000009
【図７Ｂ】
2008301503.tif 000010
【図８Ａ】
2008301503.tif 000011
【図８Ｂ】
2008301503.tif 000012
【図９Ａ】
2008301503.tif 000013
【図９Ｂ】
2008301503.tif 000014
【図１０Ａ】
2008301503.tif 000015
【図１０Ｂ】
2008301503.tif 000016
【図１１】
2008301503.tif 000017
【図１２】
2008301503.tif 000018
【図１３】
2008301503.tif 000019
【図１４】
2008301503.tif 000020
【手続補正書】
【提出日】平成20年7月3日(2008.7.3)
【手続補正１】
【補正対象書類名】図面
【補正対象項目名】図４
【補正方法】変更
【補正の内容】
【図４】
2008301503.tif 000021